(57)【要約】【課題】  少ない陳列商品数でも見栄えよくでき、商品サイズ及び陳列棚の上下間隔の違いに対応可能な陳列用背面パネルを提供する。【解決手段】  上部側に少なくとも１条の横方向破断線７を有する垂直板部１と、起立姿勢で垂直板部１を後方側から垂直状態に支持する少なくとも一つの支持板部４と、支持板部４を起立姿勢に係止する係止片５，６とが一体形成され、支持板部４が垂直板部１の面方向に沿う倒伏姿勢から起立姿勢に転換可能であり、支持板部４を倒伏姿勢とした不使用状態で全体が板状に平坦化するように構成されている。【選択図】        図１
2005185334.tif 000002
【特許請求の範囲】
【請求項１】
上部側に少なくとも１条の横方向破断線を有する垂直板部と、起立姿勢で該垂直板部を後方側から垂直状態に支持する少なくとも一つの支持板部と、該支持板部を起立姿勢に係止する係止片とが一体形成され、支持板部が垂直板部の面方向に沿う倒伏姿勢から前記起立姿勢に転換可能であり、該支持板部を倒伏姿勢とした不使用状態で全体が板状に平坦化するように構成されてなる陳列用背面パネル。
【請求項２】
垂直板部の下縁から少なくとも後方へ延出する水平板部を有してなる請求項１記載の陳列用背面パネル。
【請求項３】
垂直板部が上縁で折り返した２重構造をなし、該垂直板部の前面部下縁から前方へ延出する水平板部と、同後面部下縁から後方へ延出する水平板部とを有してなる請求項２記載の陳列用背面パネル。
【請求項４】
支持板部が垂直板部からの切り起こしによって形成されてなる請求項１〜３のいずれかに記載の陳列用背面パネル。
【請求項５】
垂直板部の下縁から後方へ延出する水平板部の後部側に、後端縁に平行な少なくとも１条の破断線を有してなる請求項２〜４のいずれかに記載の陳列用背面パネル。
【請求項６】
係止片が垂直板部と後方水平板部の少なくとも一方からの切り起こし又は曲げ起こしによって形成され、支持板部が該係止片に設けた係止溝との係合によって起立姿勢に固定されるように構成されてなる請求項１〜５のいずれかに記載の陳列用背面パネル。
【発明の詳細な説明】
【技術分野】
【０００１】
この発明は、ドラッグストアー、コンビニエンスストアー、スーパーストアー等の種々の店舗における商品陳列棚に配置する陳列用背面パネルに関する。
【背景技術】
【０００２】
一般に、多種類、多品種の商品を取り扱う店舗にあっては、在庫低減によって販売効率を高めたり、商品管理コストを低減する上で、棚在庫つまり商品陳列棚に置く商品数を減らすことが望まれる。しかるに、陳列する商品数が少ないと見栄えせず、陳列棚の空きスペースが目立って顧客に貧相な印象を与え、購買意欲を削ぐことになる。
【０００３】
そこで、一部においては、箱入り商品について、陳列商品の後方に空き箱を並べることにより、陳列棚の空きスペースを埋めて豊富感を演出する方法が行われている。また、陳列補助具として、上方に解放した箱型の枠体内に商品を陳列すると共に、枠体内に配置するＬ字型等の半固定板を陳列商品の後に立てて後方空間を遮るようにしたものも提案されている（特許文献１）。
【特許文献１】特開平９−１００７８号公報
【発明の開示】
【発明が解決しようとする課題】
【０００４】
しかしながら、前記の空き箱を並べる方法では、多種類、多品種の各商品毎に空き箱を用意しておくことが非常に厄介であるし、箱入り商品以外には適用できないという問題がある。一方、前記の陳列補助具では、箱型の枠体内に商品を収容するため、該枠体及び半固定板として商品サイズに対応した多種類のものが必要であり、それだけコスト高になることに加え、陳列商品が枠体に納まった状態で、且つ商品の下部が枠体で隠れるから、見栄えが悪い上、商品の展示効果が阻害されるという難点がある。
【０００５】
この発明は、上述の事情に鑑みて、少ない陳列商品数でも見栄えよくでき、しかも商品サイズ及び陳列棚の上下間隔の違いに対応可能な陳列用背面パネルを提供することを目的としている。
【課題を解決するための手段】
【０００６】
上記目的を達成するために、請求項１の発明に係る陳列用背面パネルは、上部側に少なくとも１条の横方向破断線を有する垂直板部と、起立姿勢で該垂直板部を後方側から垂直状態に支持する少なくとも一つの支持板部と、該支持板部を起立姿勢に係止する係止片とが一体形成され、支持板部が垂直板部の面方向に沿う倒伏姿勢から前記起立姿勢に転換可能であり、該支持板部を倒伏姿勢とした不使用状態で全体が板状に平坦化するように構成されている。
【０００７】
請求項２の発明は、上記請求項１の陳列用背面パネルにおいて、垂直板部の下縁から少なくとも後方へ延出する水平板部を有する構成としている。そして、この請求項２の陳列用背面パネルにおいて、請求項３の発明では、垂直板部が上縁で折り返した２重構造をなし、該垂直板部の前面部下縁から前方へ延出する水平板部と、同後面部下縁から後方へ延出する水平板部とを有してなるものとしている。
【０００８】
また、請求項４の発明は、上記請求項１〜３のいずれかの陳列用背面パネルにおいて、支持板部が垂直板部からの切り起こしによって形成されてなる構成としている。
【０００９】
更に、請求項５の発明は、上記請求項１〜４のいずれかの陳列用背面パネルにおいて、垂直板部の下縁から後方へ延出する水平板部の後部側に、後端縁に平行な少なくとも１条の破断線を有してなるものとしている。
【００１０】
請求項６の発明は、上記請求項１〜５のいずれかの陳列用背面パネルにおいて、係止片が垂直板部と後方水平板部の少なくとも一方からの切り起こし又は曲げ起こしによって形成され、支持板部が該係止片に設けた係止溝との係合によって起立姿勢に固定されるようにした構成を採用している。
【発明の効果】
【００１１】
請求項１の発明に係る陳列用背面パネルは、陳列棚上に載置し、その垂直板部の前に商品を陳列することにより、該垂直板部が陳列商品の背景となって後方の空きスペースを隠すから、少ない商品数でも陳列状態の見栄えを良好にすることができ、しかも垂直板部の高さが横方向破断線での上部側の切り取りによって変更可能であるから、陳列棚の上下間隔ならびに商品の高さに違いがある場合にも共用できる。しかして、使用状態においては、起立姿勢の支持板部が係止片によって係止されるため、該支持板部が不用意に倒伏姿勢になることはなく、垂直板部の垂直姿勢が安定に保たれると共に、該垂直板部への陳列商品の凭せ掛けも可能である。また、この陳列用背面パネルでは、不使用状態で全体を平坦な板状にできるから、運搬や保管の際に嵩張らず取扱いも容易である。
【００１２】
請求項２の発明によれば、垂直板部の下縁から後方へ延出する水平板部が陳列用背面パネル全体のベースとなるため、垂直板部の垂直姿勢がより安定に保たれる。また、垂直板部と水平板部は、不使用状態で平面的に連続する板体とし、使用に際して該板体を直角に折り曲げるだけで簡単に両者を構成することが可能である。
【００１３】
請求項３の発明によれば、垂直板部が２重構造であって、且つ前後両方にベースとなる水平板部が張出しているから、垂直板部の立設強度及び安定性がより向上し、陳列商品の凭せ掛けによる負荷を大きくしても垂直板部に歪み等の変形を生じにくいものとなる。また、２重構造の垂直板部が上縁で折り返した形で、その前後面部下縁から各々前後の水平板部が延出した形態であるから、これら垂直板部及び前後水平板部を一枚板より構成し、使用に際して該一枚板を折り曲げで各板部を構成することが可能である。
【００１４】
請求項４の発明によれば、支持板部が垂直板部からの切り起こしによって形成されるものであるから、陳列用背面パネルの製作に際し、該支持板部を接着等で取り付ける工程を必要とせず、パネル全体を原板からの型抜きによって簡単に製作できる。
【００１５】
請求項５の発明によれば、後方の水平板部の後方延出長さが破断線での切り取りによって可変であるから、陳列棚の奥行きの違いに対応できる。
【００１６】
請求項６の発明によれば、陳列用背面パネルの使用に際し、起立させた支持板部に引き起こした係止片の係止溝を係合させることにより、該支持板部を起立姿勢に簡単に固定できる。
【発明を実施するための最良の形態】
【００１７】
以下に、この発明の実施形態について、図面を参照して具体的に説明する。図１〜図５は第一実施形態の陳列用背面パネルＡ、図６及び図７は第二実施形態の陳列用背面パネルＢをそれぞれ示す。しかして、これら陳列用背面パネルＡ，Ｂは共に、全体が一枚の板紙より形成されている。
【００１８】
第一実施形態の陳列用背面パネルＡは、図１の半組立状態で示すように、上縁で折り返した２重構造をなす横長矩形の垂直板部１、この垂直板部１の前面部１ａの下縁から前方へ延出する前方水平板部２、同垂直板部１の後面部１ｂの下縁から後方へ延出する後方水平板部３、同後面部１ｂから切り起こし形成された左右一対の支持板部４、同後面部１ｂから切り起こし形成された左右一対の前部係止片５、後方水平板部３から曲げ起こし形成された左右一対の後部係止片６より構成されている。
【００１９】
垂直板部１は、上部側にジッパールール形態の複数本（図では６本）の横方向破断線７…が上下に一定間隔置きに刻設されており、これら横方向破断線７…のいずれかから上部を切り離すことによって高さを複数段階（図示構成では７段階）に調整できるようになっている。そして、該垂直板部１の前面部１ａと後面部１ｂとは、後面部１ｂにおける支持板部４及び前部係止片５の形成部分を除く領域（図２の展開図で二点鎖線Ｌに囲まれた領域）で相互に接着されている。また、前方水平板部２及び後方水平板部３は、垂直板部１と同じ左右幅に設定され、該垂直板部１の前面部１ａ及び後面部１ｂの各下縁に横折曲線８を介して連続している。
【００２０】
各支持板部４は、垂直板部１の後面部１ｂに形成された縦折曲線９を起点として、該垂直板部１に対して直角になる位置まで引き起こされることにより、垂直な起立姿勢で該垂直板部１を後方側から垂直状態に支持するものであり、倒伏姿勢で上から１段目の横方向破断線７に沿う上辺４ａに対し、同じく横折曲線８に沿う下辺４ｂが長くなった略台形をなしている。しかして、垂直板部１の２段目以下の横方向破断線７…は該支持板部４の上部側にも刻設されており、これによって垂直板部１の上端を２段目以下の横方向破断線７に設定する場合に、同時に支持板部４の上部側も切り離して該支持板部４と垂直板部１の高さを揃えるようになっている。
【００２１】
また、支持板部４には、下辺４ｂの中間より縦折曲線９側へ斜め上方に切れ込む直線状の挿入部４１ａと、該挿入部４１ａの上端から斜辺４ｃ側へ凹入した幅広の弧状部４１ｂとからなる係止用切欠４１を有し、この係止用切欠４１の曲がり部分で係止突片４２が形成されている。なお、係止用切欠４１の幅広弧状部４１ｂは、上下縁が挿入部４１ａの下端を中心とする円弧をなすと共に、挿入部４１ａからの凹入端が当該挿入部４１ａの下端の真上に位置している。
【００２２】
前部係止片５は、支持板部４の引き起こし起点となる縦折曲線９の中間で、且つ最下位の横方向破断線７よりも下になる位置において、垂直板部１の後面部１ｂに設けた下向きコ字形の切込み線５ａとその両端間を結ぶ半部を切離した折曲線５ｂとから形成され、その半部が後面部１ｂの支持板部４形成領域へ凹入したやや横長の略矩形をなし、先端縁から縦折曲線９に沿って切り込んだ係止溝５０を有している。
【００２３】
しかして、支持板部４の基部側には前部係止片５の半部の形骸である矩形の開口部４３があり、該支持板部４を垂直板部１に対して直角になる位置まで引き起こした状態で、前部係止片５を後方へ曲げ起こして水平にすることにより、その係止溝５０が開口部４３の後縁に係合し、該支持板部４が垂直板部１に対して直角をなす起立姿勢で固定される。
【００２４】
一方、後部係止片６は、後方水平板部３の後端縁から後方へ突出したやや横長の略矩形をなし、左右両側縁６ａ，６ａが後方水平板部３へ短く切り込んでおり、その左右の切り込み端を結ぶ折曲線６ｂより上方へ曲げ起こすようになっている。そして、この後部係止片５の左右方向中央部には、垂直板部１の後面部１ｂにおける縦折曲線９の延長方向に沿って、折曲線６ｂ位置から途中まで延びるスリット状の係止溝６０が切り抜き形成されている。
【００２５】
後方水平板部３における後部係止片６の折曲線６ｂの位置は、支持板部４を垂直板部１に対して直角に引き起こした際の係止用切欠４１の挿入部４１ａ下端に対応している。また、後部係止片６の長さは該係止用切欠４１の奥行き長さに対応すると共に、係止溝６０の長さが該係止用切欠４１の挿入部４１ａの長さに対応している。従って、垂直板部１に対する直角位置まで引き起こした支持板部４の係止用切欠４１に対し、やや前方へ傾斜する状態まで曲げ起こした後部係止片６を下方から挿嵌させ、次いで該後部係止片６を後方へ引き戻して垂直状態にすることにより、その係止溝６０に係止突片４２が入り込んで下方離脱不能に係合し、支持板部４が後方水平板部３に対しても起立姿勢で固定される。
【００２６】
上記構成の陳列用背面パネルＡは、全体が一枚の板紙より構成されており、原料板紙から図２に示す展開形態への型抜きの際に、支持板部４及び前後部係止片５，６の形成のための切込み線及び折曲線、横方向破断線７…、横折曲線８，８、垂直板部１の折り返し上縁となる横折曲線１０を刻設すると共に、支持板部４の係止用切欠４１と後部係止片６の係止溝６０の切り抜きを同時に行い、得られた展開形態から横折曲線１０で二つ折りにすると共に、重なった垂直板部１の前面部１ａと後面部１ｂとを図１の二点鎖線Ｌで囲まれた領域、つまり後面部１ｂにおける支持板部４及び前部係止片５の形成部分を除く領域で接着することにより、図３に示す出荷形態の製品とする。この出荷形態では、垂直板部１と前方及び後方水平板部２，３とが平面的に配置し、また支持板部４及び前後部係止片５，６も垂直板部１の面方向に沿う倒伏姿勢であるため、パネル全体が展開形態の略半分のサイズで平坦な板状になっている。
【００２７】
この陳列用背面パネルＡを使用形態に組み立てるには、前記出荷形態から前方及び後方水平板部２，３を垂直板部１に対して直角になるように横折曲線８，８で前後に折り曲げると共に、倒伏姿勢にある左右の支持板部４，４を垂直板部１に対して直角になるように引き起こして起立姿勢とし、次いで前後部係止片５，６を曲げ起こして各支持板部４に既述のように係合し、もって当該支持板部４を垂直板部１に対して直角な起立姿勢で固定すればよい。
【００２８】
かくして使用形態とした陳列用背面パネルＡは、例えば図４に示すように、陳列棚Ｅの棚板Ｓ上に載置し、所要の商品Ｇ…を前方水平板部２の上に載せる形で垂直板部１の前に陳列すればよい。このとき、陳列棚Ｅの棚板Ｓ，Ｓの上下間隔が狭い場合は、その間隔に合わせて垂直板部１及び支持板部４，４の上部を横方向破断線７で切り離すことにより、例えば図５に示すように、垂直板部１及び支持板部４，４の高さを低くして棚板Ｓ上に載置できる。なお、この調整高さが１段目の横方向破断線７になる場合、垂直板部１のみの切り離しになることは言うまでない。
【００２９】
このように陳列用背面パネルＡを陳列棚Ｅの棚板Ｓ上に載置し、その垂直板部１の前に商品Ｇ…を陳列すれば、該垂直板部１が陳列商品Ｇ…の背景となって後方の空きスペースを隠すから、陳列する商品数が少なくても陳列状態の見栄えが良好になるから、顧客の購買意欲を削ぐことなく、棚在庫を減らして販売効率の向上と商品管理コストの低減を図ることが可能となる。しかも、この陳列用背面パネルＡは、支持板部４を含めて垂直板部１の高さを複数段階に変更できるから、棚板Ｓ，Ｓの上下間隔ならびに商品Ｇの高さに違いがある場合にも共用可能である。なお、適用する陳列棚Ｅが棚板Ｓ…の間隔を段階的に調整可能なものである場合、その調整ピッチ（一般に２ｃｍ程度）に合わせて陳列用背面パネルＡの垂直板部１における横方向破断線７…の間隔を設定すればよい。
【００３０】
また、この陳列用背面パネルＡにあっては、起立姿勢の支持板部４が前後部で係止片５，６によって係止されているため、該支持板部４が不用意に倒伏姿勢に戻ることはなく、且つ垂直板部１が二重構造でその前後両方にベースとなる水平板部２，３が張出しているから、該垂直板部１の立設強度及び安定性に優れており、例えば商品Ｇを垂直板部１に凭せ掛ける形で陳列する場合でも、該垂直板部１が倒れたり変形したりする懸念はない。
【００３１】
更に、この陳列用背面パネルＡは、使用前には全体が平坦な板状形態（出荷形態）になっているため、その運搬や保管の際に嵩張らず、狭い空間に多数枚を納めることができ、取扱いも容易である。しかして、この使用前の板状形態から使用形態への組み立ては、前後の水平板部２，３、左右の支持板部４，４、前後の係止片５，６をそれぞれ曲げ起こし、各支持板部４と前後の係止片５，６とを係合するだけでよく、接着剤、テープ、ステープラー等の補助材料による繋ぎ留めを一切必要とせず、手操作のみで極めて容易に且つ迅速・的確に行える。また、支持板部４及び係止片５，６が切り起こし又は曲げ起こしによって形成されるものであるから、この陳列用背面パネルＡの製作に際し、該支持板部４及び係止片５，６を接着等で取り付ける工程を必要とせず、既述のようにパネル全体を原料板紙からの型抜きによって簡単に且つ安価に製作できるという利点がある。
【００３２】
第二実施形態の陳列用背面パネルＢは、図５の展開状態及び図６の使用状態で示すように、後方水平板部３が後部係止片６よりも更に後方へ延出しており、この延出部３ａに２本のジッパールール形態の奥行き調整用破断線１１が横方向に平行状に刻設されており、後部係止片６が後方水平板部３から切り起こし形成されたものとなっている。しかるに、他の構成は前記第一実施形態の陳列用背面パネルＡと同様であるため、該第一実施形態との共通部分については同一符号を附してその説明を省略する。
【００３３】
このような陳列用背面パネルＢは、前記第一実施形態の陳列用背面パネルＡと全く同様に製作、組み立て、陳列棚への使用、垂直板部１の高さ調整を行えるものであるが、それらに加えて、後方水平板部３の後方張出長さを奥行き調整用破断線１１からの切り離しによって３段階に調整可能である。従って、この陳列用背面パネルＢによれば、陳列棚Ｓの奥行きの違いに対応できると共に、商品Ｇのサイズや形態によって垂直板部１の位置を微調整する必要がある場合にも対応できる。
【００３４】
この発明に係る陳列用背面パネルは、例示した第一及び第二実施形態に限らず、種々の構成が可能である。例えば、垂直板部１の左右両側又は片側に前方及び後方水平板部２，３まで連続する縦方向破断線を設け、陳列棚Ｅの左右幅に対応して幅調整できるようにしてもよい。前方及び後方水平板部２，３については、その一方又は両方を省略しても垂直板部１を垂直姿勢に保持することが可能である。ただし、安定性の面より少なくとも後方水平板部３を設けることが好ましい。支持板部４については、左右一対に限らず、パネル幅に応じて一つあるいは３つ以上に設定できると共に、後方水平板部３側に設け、前後方向の折曲線を起点にして曲げ起こして起立姿勢にする構成も採用できる。また、該支持板部４の起立姿勢は垂直に限らず、例えば、左右一対の各々が垂直板部１に対しては直角をなすが、互いに内向き又は外向きに傾斜してハの字形又は逆ハの字形に配置する構成としてもよい。更に、前後部の係止片５，６についても、固定強度には劣るが、その一方のみを有する構成としてもよく、また支持板部４に対する係止構造は実施形態として例示した以外に様々に設定可能である。
【００３５】
一方、第一及び第二実施形態では陳列用背面パネル全体を一枚の板紙より構成しているが、支持板部４や前後部の係止片５，６を接着、鳩目、鋲、ステープル等で後付けすることも可能である。ただし、実施形態のようにパネル全体を一枚の板紙にて構成すれば、製作の工数が少なくて済み、製造コストも安くなる。またパネルの材質は、板紙に限らず、段ボールや合成樹脂も使用できる。合成樹脂製とする場合、製作コストは高く付くが、各曲げ部分を薄肉にして曲げ可能とすれば、平坦な板状の不使用形態から立体的な使用形態へ転換することができる。
【００３６】
横方向破断線７については、実施形態のようなジッパールール形態に代えてミシン目形態を採用してもよく、その本数および配置間隔は種々設定できる。また、各部の折曲線（符号５ｂ，６ｂ，８，９，１０）は、印圧による折り目を付けたり、ミシン目や所定間隔の切れ目を入れることにより、曲げ易く形成すればよい。なお、垂直板部１の前面には、陳列の背景として、商品に対応した種々の表示や模様等を印刷できる。
【図面の簡単な説明】
【００３７】
【図１】この発明の第一実施形態に係る陳列用背面パネルの半組立状態を示す斜視図である。
【図２】同陳列用背面パネルの展開図である。
【図３】同陳列用背面パネルの出荷形態の平面図である。
【図４】同陳列用背面パネルを元の高さの状態で配置した陳列棚の要部の側面図である。
【図５】同陳列用背面パネルを高さを低くした状態で配置した陳列棚の要部の側面図である。
【図６】この発明の第二実施形態に係る陳列用背面パネルの展開図である。
【図７】同陳列用背面パネルの組立状態の要部を示す斜視図である。
【符号の説明】
【００３８】
Ａ，Ｂ：  陳列用背面パネル
Ｅ    ：  陳列棚
Ｓ    ：  棚板
Ｇ    ：  商品
１    ：  垂直板部
１ａ  ：  前面部
１ｂ  ：  後面部
２    ：  前方水平板部
３    ：  後方水平板部
４    ：  支持板部
５    ：  前部係止片
５０  ：  係止溝
６    ：  後部係止片
６０  ：  係止溝
７    ：  横方向破断線
８    ：  横折曲線
９    ：  縦折曲線
１１  ：  奥行調整用破断線
【図１】
2005185334.tif 000003
【図２】
2005185334.tif 000004
【図３】
2005185334.tif 000005
【図４】
2005185334.tif 000006
【図５】
2005185334.tif 000007
【図６】
2005185334.tif 000008
【図７】
2005185334.tif 000009